(57)【特許請求の範囲】
【請求項１】
ハンドル部を有するハウジングと、
該ハウジングに支持された動力発生源と、
該ハウジングに回転可能に支承され、該動力発生源により発生した動力により回転する回転部材と、を備え、
第一の方向から該ハンドル部を把持する第一の作業位置と、該第一の方向とは異なる第二の方向から該ハンドル部を把持する第二の作業位置とで使用される作業工具であって、
該ハンドル部は回転可能な回転部を有し、該回転部には該回転部から一方向に突出し、その突出量を調整することで該動力発生源において発生される動力を調整可能なトリガが設けられ、該回転部を回転させることで、該トリガの突出方向を該第一の方向に対応した方向と該第二の方向に対応した方向とで変更可能であることを特徴とする作業工具。
【請求項２】
該回転部を回転させた際に所定の回転位置で機能し、該回転部の回転を規制する規制手段を有することを特徴とする請求項１記載の作業工具。
【請求項３】
該ハンドル部は該回転部を回転可能に支承する回転部支承部を有し、該回転部は、該回転部支承部に回転支承される回転支承部を有し、該規制手段は、該回転支承部及び該回転部支承部に、該回転部の回転軸に対する半径方向に向かって設けられた突起部を有し、該回転部が所定の回転位置に位置した際に該突起部同士が当接することで該回転部の回転を規制することを特徴とする請求項２記載の作業工具。
【請求項４】
該ハンドル部は該回転部を回転可能に支承する回転部支承部を有し、該回転部は、該回転部支承部に回転支承される回転支承部を有し、該規制手段は、該回転部の周方向に沿って該回転部に設けられた嵌合部と、該回転部支承部に設けられ該嵌合部に嵌合可能な係止部材とを有し、該回転部が所定の回転位置に位置した際に該嵌合部と該係止部材とが嵌合することで該回転部の回転を係止することを特徴とする請求項２記載の作業工具。
【請求項５】
該嵌合部はラチェットの歯からなることを特徴とする請求項４記載の作業工具。
【請求項６】
該回転部を該ハンドル部に対して回転させた後に、作業者が操作することによって該回転部を該ハンドル部に固定する回転固定手段を有することを特徴とする請求項１乃至請求項５のいずれか一記載の作業工具。
【請求項７】
該回転固定手段は、該回転部支承部に対して該回転部の回転を可能にする固定解除位置と該回転部支承部に対して該回転部の回転を固定状態とする固定位置とに移動可能であるストッパピンと、該ストッパピンを常時固定位置に移動するよう付勢する弾性体とを備えることを特徴とする請求項６記載の作業工具。
【発明の詳細な説明】
【技術分野】
【０００１】
本発明は作業工具に関し、特に送風を行うときと吸引を行うときとでユーザが持ち方を変えて把持される作業工具に関する。
【背景技術】
【０００２】
従来より送風と吸引とを行うことができる作業工具が知られている。図１０に示すように作業工具１００１は、ハンドル部１０１０Ａを有するハウジング１０１０と、ハウジング１０１０に支持されたエンジン１０３０と、ハウジング１０１０に回転可能に支承され、エンジン１０３０において発生する回転力により回転するファン１０１３と、を備えている。
【０００３】
ハンドル部１０１０Ａにはトリガ１０１０Ｅが設けられており、トリガ１０１０Ｅを操作することによりエンジン１０３０を駆動可能である。ファン１０１３は遠心ファンにより構成されている。ファン１０１３と同軸的な位置関係で筒状のエア吸引筒１０９０をハウジング１０１０に固定可能である。また、ハウジング１０１０内であってファン１０１３の周縁部に対向する位置には空気圧縮室が画成されている。空気圧縮室を画成するハウジング１０１０の部分には、ハウジング１０１０外方へ延出するノズル接続部１０１０Ｆが設けられている。ノズル接続部１０１０Ｆには、ノズル部８０又は集塵袋８３を接続可能である。
【０００４】
エンジン１０３０が駆動してファン１０１３が回転することにより、エア吸引筒１０９０を通してエアがハウジング１０１０内に吸引される。ファン１０１３を通してエアは空気圧縮室へ流れて圧縮され、ノズル接続部１０１０Ｆを通してノズル部８０からノズル部８０外へ吹き出される。
【０００５】
送風装置として使用する際には、ユーザはハンドル部１０１０Ａを把持し、指でトリガ１０１０Ｅを操作して送風を行う。吸引装置として使用する際には、図１２に示すように、ユーザはハンドル部１０１０Ａを持ち換えて送風装置の際とは異なる指でトリガ１０１０Ｅを操作して吸引を行う。このような作業工具は、例えば特開２００９−２６４２９６号公報（特許公報１）に記載されている。
【先行技術文献】
【特許文献】
【０００６】
【特許文献１】特開２００９−２６４２９６号公報
【発明の概要】
【発明が解決しようとする課題】
【０００７】
しかし、従来の作業工具では、前述のように、送風装置として使用するときと、吸引装置として使用するときとでハンドル部を持ち換えており、吸引装置として使用する際には異なる指でトリガを操作していたため、微妙なトリガ操作を行うことができず、操作性が悪かった。
【０００８】
そこで、本発明は、ハンドル部を持ち換えてもユーザの所望の指でトリガの操作を行うことができる作業工具を提供することを目的とする。
【課題を解決するための手段】
【０００９】
上記目的を達成するために、本発明は、ハンドル部を有するハウジングと、該ハウジングに支持された動力発生源と、該ハウジングに回転可能に支承され、該動力発生源により発生した動力により回転する回転部材と、を備え、第一の方向から該ハンドル部を把持する第一の作業位置と、該第一の方向とは異なる第二の方向から該ハンドル部を把持する第二の作業位置とで使用される作業工具であって、該ハンドル部は回転可能な回転部を有し、該回転部には該回転部から一方向に突出し、その突出量を調整することで該動力発生源において発生される動力を調整可能なトリガが設けられ、該回転部を回転させることで、該トリガの突出方向を該第一の方向に対応した方向と該第二の方向に対応した方向とで変更可能である作業工具を提供している。
【００１０】
回転部は回転可能であるため、回転部の軸心を中心とする様々な角度位置で回転部を把持した場合であっても、トリガをユーザの所望の指で把持して操作できるように回転部を回転させることができる。このため、送風装置として用いる場合であっても、吸引装置として用いる場合であっても、常にトリガをユーザの所望の指で操作できるため、ユーザの所望の指で微妙なトリガ操作を行うことができ、操作性を向上させることができる。
【００１１】
ここで、該回転部を回転させた際に所定の回転位置で機能し、該回転部の回転を規制する規制手段を有することが好ましい。回転部を回転させた際に所定の回転位置で機能し、回転部の回転を規制する規制手段を有するため、不必要に回転部が大きく回転してしまうことを防止することができる。このため、トリガと動力発生源とがワイヤ等で接続されている場合には、ワイヤが極端にねじれてしまうことを防止することができる。
【００１２】
また、該ハンドル部は該回転部を回転可能に支承する回転部支承部を有し、該回転部は、該回転部支承部に回転支承される回転支承部を有し、該規制手段は、該回転支承部及び該回転部支承部に、該回転部の回転軸に対する半径方向に向かって設けられた突起部を有し、該回転部が所定の回転位置に位置した際に該突起部同士が当接することで該回転部の回転を規制することが好ましい。
【００１３】
ハンドル部は回転部を回転可能に支承する回転部支承部を有し、回転部は、回転部支承部に回転支承される回転支承部を有し、規制手段は、回転支承部及び回転部支承部に、回転部の回転軸に対する半径方向に向かって設けられた突起部を有し、回転部が所定の回転位置に位置した際に突起部同士が当接することで回転部の回転を規制するため、比較的簡単な構成で回転部の回転を所定の回転角度範囲内に規制することができる。
【００１４】
また、該ハンドル部は該回転部を回転可能に支承する回転部支承部を有し、該回転部は、該回転部支承部に回転支承される回転支承部を有し、該規制手段は、該回転部の周方向に沿って該回転部に設けられた嵌合部と、該回転部支承部に設けられ該嵌合部に嵌合可能な係止部材とを有し、該回転部が所定の回転位置に位置した際に該嵌合部と該係止部材とが嵌合することで該回転部の回転を係止することが好ましい。
【００１５】
ハンドル部は回転部を回転可能に支承する回転部支承部を有し、回転部は、回転部支承部に回転支承される回転支承部を有し、規制手段は、回転部の周方向に沿って回転部に設けられた嵌合部と、回転支承部に設けられ嵌合部に嵌合可能な係止部材とを有し、回転部が所定の回転位置に位置した際に嵌合部と係合部材とが嵌合することで回転部の回転を係止するため、回転部の回転が規制される所定の回転角度範囲を柔軟に変更することができる。
【００１６】
また、該嵌合部はラチェットの歯からなることが好ましい。嵌合部はラチェットの歯からなるため、回転部の回転が規制される所定の回転角度範囲を細かく柔軟に変更することができる。
【００１７】
また、該回転部を該ハンドル部に対して回転させた後に、作業者が操作することによって該回転部を該ハンドル部に固定する回転固定手段を有することが好ましい。
【００１８】
該回転部を該ハンドル部に対して回転させた後に、作業者が操作することによって該回転部を該ハンドル部に固定する回転固定手段を有するため、回転部が不意に回転してしまうことを防止することができる。
【００１９】
また、該回転固定手段は、該回転部支承部に対して該回転部の回転を可能にする固定解除位置と該回転部支承部に対して該回転部の回転を固定状態とする固定位置とに移動可能であるストッパピンと、該ストッパピンを常時固定位置に移動するよう付勢する弾性体とを備えることが好ましい。
【００２０】
回転固定手段は、該回転部支承部に対して該回転部の回転を可能にする固定解除位置と該回転部支承部に対して該回転部の回転を固定状態とする固定位置とに移動可能であるストッパピンと、該ストッパピンを常時固定位置に移動するよう付勢する弾性体とを備えるため、回転部を所定の回転角度に回転させることで自動的にストッパピンを回転部に係合させることができる。このため、所定の回動角度で回転部の固定を容易に行うことができる。
【発明の効果】
【００２１】
以上より本発明は、ハンドル部を持ち換えてもユーザの所望の指でトリガの操作を行うことができる作業工具を提供することができる。
【図面の簡単な説明】
【００２２】
【図１】本発明の実施の形態による作業工具がブロワ装置として用いられるときの様子を示す右側方部分断面図。
【図２】本発明の実施の形態による作業工具が吸引装置として用いられるときの様子を示す右側方部分断面図。
【図３】本発明の実施の形態による作業工具が吸引装置として用いられるときの様子を示す部分断面背面図。
【図４】本発明の実施の形態による作業工具の変形例の把持部を示す要部断面図。
【図５】本発明の実施の形態による作業工具の変形例の把持部を示す要部断面図。
【図６】本発明の実施の形態による作業工具の他の変形例の把持部を示す要部断面図。
【図７】本発明の実施の形態による作業工具の他の変形例の把持部を示す要部断面図。
【図８】本発明の実施の形態による作業工具の他の変形例の把持部を示す要部断面図。
【図９】本発明の実施の形態による作業工具の他の変形例の把持部を示す要部断面図。
【図１０】従来の作業工具がブロワ装置として用いられるときの様子を示す右側方部分断面図。
【図１１】従来の作業工具を示す左側面図。
【図１２】従来の作業工具が吸引装置として用いられるときの様子を示す部分断面背面図。
【図１３】従来の作業工具がブロワ装置として用いられているときの様子を示す斜視図。
【図１４】従来の作業工具が吸引装置として用いられているときの様子を示す斜視図。
【発明を実施するための形態】
【００２３】
本発明による作業工具の実施の形態について図１乃至図３を参照しながら説明する。図１に示すように、作業工具１は送風・吸引を行うことができる装置であり、メインハウジング１１と、メインハウジング１１に設けられたエンジン３０と、後述の図示せぬファンを収納するファンハウジング１２（図３）と、ノズル部８０（図１３）と、エア吸引筒９０と、を有している。メインハウジング１１とファンハウジング１２とでハウジング１０が構成されている。
【００２４】
以下の説明では図１における左側を作業工具１の後端側、右側を作業工具１の先端側と定義し、図１における上側を作業工具１の上側、下側を作業工具１の下側と定義し、また、図１の紙面の裏側から表側へ向かう方向を右方向と定義し、図１の紙面の表側から裏側へ向かう方向を左方向と定義して説明する。
【００２５】
エンジン３０は、主としてハウジング１０の右側を構成するメインハウジング１１に固定されている。エンジン３０は２サイクルエンジンにより構成されており、動力発生源に相当する。主としてハウジング１０の左側を構成するファンハウジング１２内には図示せぬファンが収容されており、図示せぬファンはエンジン３０の図示せぬクランク軸に固定されクランク軸と同軸的に一体回転可能である。従って図示せぬファンは、エンジン３０を介してハウジング１０に支承されている。また、ファンハウジング１２の内周面は、図示せぬファンにより生成されたエアの流れを図示せぬファンの円周方向に案内する空気圧縮室を画成している。
【００２６】
ハウジング１０には、ハウジング１０外方であって前方へ延出するノズル接続部１０Ｆが設けられている。ノズル接続部１０Ｆは略筒状をなしており、その軸心を含む平面で二分割可能であり、その一方はメインハウジング１１と一体で構成され、他方はファンハウジング１２と一体で構成されている。ノズル接続部１０Ｆの内部の空間は空気圧縮室に連通する。ノズル接続部１０Ｆには、後述のノズル部８０の管部８１又は集塵袋８３を接続可能である。
【００２７】
ノズル部８０は、従来の作業工具に装着されるノズル部８０と同一であり、図１３に示すように筒状をした管部８１とノズル８２とを有している。管部８１の一端部はノズル接続部１０Ｆに接続可能であり、管部８１の他端部にはノズル８２を接続可能である。ブロワ装置（送風装置）として作業工具１を使用する際には、管部８１の一端部がノズル接続部１０Ｆに接続され、管部８１の他端部にノズル８２が接続される。吸引装置として作業工具１を使用する際には、ノズル部８０に代えて集塵袋８３（図１４）がノズル接続部１０Ｆに接続される。
【００２８】
図示せぬファンに対向するファンハウジング１２の部分には略円形の開口が形成されており、開口の周囲には、当該周囲から開口と同軸的な位置関係で左方へ延出する図示せぬ筒状のエア吸引筒接続部が設けられている。図示せぬエア吸引筒接続部には、略筒状をしたエア吸引筒９０、又は図示せぬ防塵カバーを取り付け可能である。ブロワ装置として作業工具１を使用する際には、図示せぬエア吸引筒接続部に防塵カバーが取り付けられ、吸引装置として作業工具１を使用する際には、防塵カバーに代えてエア吸引筒９０が図示せぬエア吸引筒接続部に同軸的に接続されて取り付けられる。
【００２９】
ハウジング１０の上部及び下部は、作業工具１を運搬したり作業中に保持するためのハンドル部１０Ａ、１０Ｍ（図３）をそれぞれ有している。ハンドル部１０Ｍは略環状をしており、当該略環状の軸方向が上下方向に指向する位置関係をなしている。
【００３０】
ハンドル部１０Ａは上方へ突出する略環状をなしており、その最上部は前後方向へ延出する略円筒状をした把持部１０Ｂと、把持部１０Ｂの軸方向の両端において把持部１０Ｂを支承する把持部支承部１０Ｃとを有している。把持部１０Ｂは回転部に相当する。また、把持部支承部１０Ｃは回転部支承部に相当する。把持部１０Ｂの軸方向における一端、他端に対向する把持部支承部１０Ｃの部分には、略フランジ状をした凹部たるフランジ部収容凹部１０ａ、１０ａがそれぞれ形成されている。
【００３１】
把持部１０Ｂは作業工具１のユーザが指を巻回するようにして把持する部分であり、把持部１０Ｂの軸方向における一端、他端はそれぞれフランジ部１０Ｄ、１０Ｄを有している。フランジ部１０Ｄは、フランジ部収容凹部１０ａに収容されており、この構成により把持部１０Ｂは、その軸心を中心として把持部支承部１０Ｃによって、把持部１０Ｂを把持するユーザの指の巻回方向及び反巻回方向へ回転可能に支承されている。
【００３２】
把持部１０Ｂの略中央から先端に至るまでの部分にはトリガ１０Ｅが設けられており、トリガ１０Ｅは回動軸１０Ｉを中心として回動可能に把持部１０Ｂに支承されている。トリガ１０Ｅが設けられている位置は、作業工具１のユーザの所望の指に対向する位置であり、ユーザの所望の指によってトリガ１０Ｅを操作可能である。トリガ１０Ｅの一部には、エンジン３０のキャブレターに一端が接続されたワイヤ３１の他端が固定されている。トリガ１０Ｅの回動によりワイヤ３１をその長手方向へ引くことができるように構成されており、このように引くことにより、エンジン３０の図示せぬキャブレターの図示せぬスロットルバルブの開閉度を調整可能である。
【００３３】
ワイヤ３１の他端部よりも一端寄りの部分はチューブ３２により覆われており、把持部１０Ｂ内においてチューブ３２の端部にはリブ３３が固定されている。リブ３３は図示せぬビス等により把持部１０Ｂの内周面に固定されている。リブ３３が固定されている位置は、図１、図２に示すように把持部１０Ｂの軸心Ｉ上に配置されている。また、リブ３３からワイヤ３１の他端までの距離は、図１に示す状態に把持部１０Ｂが回転したときと、図２に示す状態に把持部１０Ｂが回転したときとで同一となっている。このため、把持部１０Ｂが図１に示す状態に回転しているときにトリガ１０Ｅを引いた量と、図２に示す状態に回転しているときにトリガ１０Ｅを引いた量とが同一であれば、図示せぬキャブレターのスロットルバルブの開閉度を同一とすることができるように構成されている。
【００３４】
図１に示す状態に把持部１０Ｂを回転させて、ハンドル部１０Ａを片手で把持することによって、図１３に示すように作業工具１をブロワ装置として使用することができる。また、図２に示す状態に把持部１０Ｂを回転させて、図３に示すように、作業工具１を横に倒して右手でハンドル部１０Ａを把持し、ハンドル部１０Ｍを左手で把持することによって、図１４に示すように作業工具１を吸引装置として使用することができるように構成されている。これらいずれの場合であっても、トリガ１０Ｅをユーザの所望の指で操作することができる。このため、ユーザの所望の指で微妙なトリガ操作を行うことができ、操作性を向上させることができる。
【００３５】
本発明の作業工具は、上述した実施の形態に限定されず、特許請求の範囲に記載した範囲で種々の変形や改良が可能である。例えば、回転部たる把持部の回転を所定の回転角度範囲内に規制する規制手段を有していてもよい。
【００３６】
例えば、回転部は、回転部支承部に回転支承される回転支承部を有し、規制手段は、回転支承部及び回転部に、回転部の回転軸に対する半径方向に向かって設けられた突起部を有し、回転部が所定の回転位置に位置した際に突起部同士が当接することで回転部の回転を規制するようにしてもよい。
【００３７】
より具体的には、例えば図４、図５に示すように、把持部１１０Ｂの回転方向へ延出する溝１１０ｂが把持部支承部１１０Ｃに形成され、把持部１１０Ｂには、把持部支承部１１０Ｃの溝１１０ｂに常時係合し溝１１０ｂ内で移動可能な凸部１１０Ｇを有する構成とする。また、溝１１０ｂ内にはリブ１１０Ｈが設けられている。溝１１０ｂが形成されている把持部支承部１１０Ｃの部分は回転部支承部に相当し、凸部１１０Ｇが設けられている把持部１１０Ｂの部分は回転支承部に相当する。凸部１１０Ｇ、及び把持部１１０Ｂの回転方向における溝１１０ｂの端部を画成している把持部支承部１１０Ｃのリブ１１０Ｈは突起部に相当する。
【００３８】
このような構成とすることで、リブ１１０Ｈに凸部１１０Ｇが当接するため、略３６０°よりも大きく不必要に把持部１１０Ｂが大きく回転してしまうことを防止することができる。このため、ワイヤ３１（図１等）が極端にねじれてしまうことを防止することができる。また、比較的簡単な構成で把持部１１０Ｂの回転を所定の回転角度範囲内に規制することができる。また、この変形例においては、リブ１１０Ｈは１つであるが、この構成に限定されず、例えば２つ設けて回転可能な角度の範囲を略３６０°よりも小さい範囲としてもよいし、周方向に長いリブを設けて回転可能な角度の範囲を略３６０°よりも小さい範囲としてもよい。
【００３９】
更に、把持部は規制手段によって、基準となる回転位置を中心として時計方向及び反時計方向へそれぞれ同一の回転角度範囲内で回転可能に規制されていてもよい。具体的には例えば、図１に示す状態と図２に示す状態との間で、把持部１０Ｂの回転可能な角度の範囲を１８０°とする。
【００４０】
このような構成とすることで、図１に示す状態から図２に示す状態へ向けて９０°回転した回転位置を基準として、当該基準となる回転位置から時計方向へ最大回転角度である９０°回転させた場合のワイヤ３１（図１等）のねじれ具合と、当該基準となる回転位置から反時計方向へ最大回転角度である９０°回転させた場合のワイヤ３１のねじれ具合とを同一とすることができる。このため、ねじれ具合の差によるトリガ操作の差が生ずることを確実に防止することができる。
【００４１】
また、規制手段は上述した構成に限定されない。例えば、規制手段は、回転部の周方向に沿って回転部に設けられた嵌合部と、回転支承部に設けられ嵌合部に嵌合可能な係止部材とを有し、回転部が所定の回転位置に位置した際に嵌合部と係合部材とが嵌合することで回転部の回転を係止する構成としてもよい。更に嵌合部は、図８に示すようにラチェットの歯３１０Ｈからなり、係止部はラチェット３１０Ｈに係合可能な歯３１０Ｇからなる構成であってもよい。このような構成とすることで、回転部たる把持部３１０Ｂの回転が規制される所定の回転角度範囲を柔軟に細かく変更することができる。
【００４２】
また、図９に示すように、回転部たる把持部４１０Ｂの周面において、把持部４１０Ｂの周方向へ等間隔で４つの凹部４１０ｂが形成され、凹部４１０ｂに係合可能なボール４１０Ｇが把持部支承部４１０Ｂに設けられてもよい。
【００４３】
また、把持部を所定の回転角度に固定可能な回転固定手段を有する構成としてもよい。具体的には、例えば、図６、図７に示すように、把持部支承部２１０Ｃにストッパピン２１５が設けられている。ストッパピン２１５は、その軸心方向が把持部２１０Ｂの軸方向へ指向しており、同方向へ移動可能である。ストッパピン２１５の軸方向における中央部は拡径部２１５Ａを有しており、拡径部２１５Ａには弾性体たるスプリング２１６の一端が当接している。スプリング２１６の他端は、把持部支承部２１０Ｃの一部に当接しており、スプリング２１６によりストッパピン２１５は把持部２１０Ｂの方向へ付勢されている。
【００４４】
把持部１０Ｂの軸方向端面には貫通孔２１０ｃが形成されている。貫通孔２１０ｃは把持部２１０Ｂの端面において直径位置に２つ形成されている。貫通孔２１０ｃにはストッパピン２１５の先端部を挿入可能である。
【００４５】
貫通孔２１０ｃがストッパピン２１５の先端部に対向する位置に把持部２１０Ｂが回転したときに、ストッパピン２１５に外部から力が作用していない場合には、スプリング２１６の付勢力によりストッパピン２１５の先端部が挿入されるように構成されている。このとき、把持部２１０Ｂは一時的に回転不能の状態に固定されている。把持部２１０Ｂを回転させたいときには、ストッパピン２１５をその軸方向であって把持部２１０Ｂから離間する方向へスプリング２１６の付勢力に抗して引き、ストッパピン２１５の先端部が貫通孔２１０ｃに挿入されていない状態とする。この状態を維持したまま把持部２１０Ｂを回転させ、ストッパピン２１５を開放し、更に把持部２１０Ｂを回転させてゆく。そして貫通孔２１０ｃがストッパピン２１５の先端部に対向したときに、スプリング２１６の付勢力によりストッパピン２１５の先端部は貫通孔２１０ｃ内に自動的に挿入されて、再び把持部２１０Ｂが回転不能の状態となる。このような構成とすることにより、把持部２１０Ｂが不意に回転してしまうことを防止することができる。貫通孔２１０ｃにストッパピン２１５の先端部が挿入されている状態のときのストッパピン２１５の位置は固定位置に相当し、貫通孔２１０ｃにストッパピン２１５の先端部が挿入されていない状態のときのストッパピン２１５の位置は固定解除位置に相当する。
【００４６】
また、スプリング２１６で付勢していなくてもよい。例えば、ストッパピンの周面に雄ねじが設けられ、ネジを把持部支承部に対して螺進退させることにより、貫通孔にネジの先端部を挿入したり貫通孔に挿入されていない状態としたりする。
【産業上の利用可能性】
【００４７】
本発明の作業工具は、ハンドル部を持ち換えて使用される作業工具の分野において特に有用である。
【符号の説明】
【００４８】
１・・・作業工具  ３０・・・エンジン  １０・・・ハウジング１０  １０Ａ・・・ハンドル部  １０Ｂ、１１０Ｂ、２１０Ｂ・・・把持部  １０Ｃ、１１０Ｃ、２１０Ｃ・・・把持部支承部  １０Ｅ・・・トリガ  １１０ｂ・・・溝  １１０Ｇ・・・凸部  ２１５・・・ストッパピン  ２１６・・・スプリング  
【図１】
0005557154.tif 000002
【図２】
0005557154.tif 000003
【図３】
0005557154.tif 000004
【図４】
0005557154.tif 000005
【図５】
0005557154.tif 000006
【図６】
0005557154.tif 000007
【図７】
0005557154.tif 000008
【図８】
0005557154.tif 000009
【図９】
0005557154.tif 000010
【図１０】
0005557154.tif 000011
【図１１】
0005557154.tif 000012
【図１２】
0005557154.tif 000013
【図１３】
0005557154.tif 000014
【図１４】
0005557154.tif 000015